(57)【要約】【課題】  サーボ情報記録方式及び磁気ディスク媒体に関し、媒体構造やヘッド構成を複雑化することなく、サーボ情報記録を再生して、高精度にヘッドの位置決めを行う。【解決手段】  データトラック領域５がガードバンド６で分離された磁気ディスク媒体を一方向に初期化したのちサーボ用情報を記録し、磁気ディスク媒体からの検出信号出力におけるサーボ用情報磁界強度に対応する出力からトラックセンタを認識する。【選択図】          図１
2006252604.tif 000002
【特許請求の範囲】
【請求項１】
データトラック領域がガードバンドで分離された磁気ディスク媒体を一方向に初期化したのちサーボ用情報を記録し、前記磁気ディスク媒体からの検出信号出力におけるサーボ用情報磁界強度に対応する出力からトラックセンタを認識することを特徴とするサーボ情報記録再生方式。
【請求項２】
上記サーボ用情報を記録するサーボ領域をセルフクロックを用いて位置決めすることを特徴とする請求項１記載のサーボ情報記録再生方式。
【請求項３】
上記サーボ用情報の書き込みを、均一な直流磁界を印加することにより行うことを特徴とする請求項１または２に記載のサーボ情報記録再生方式。
【請求項４】
データトラック領域がガードバンドで分離された磁気ディスク媒体において、前記磁気ディスク媒体内のデータトラック領域の一部を分割してサーボパターンとしたことを特徴とする磁気ディスク媒体。
【請求項５】
データトラック領域がガードバンドで分離された磁気ディスク媒体において、前記磁気ディスク媒体内のデータトラック領域の一部を欠如させた欠如領域に設けたデータトラック周期と位相のずれた周期のマークセクタをサーボパターンとしたことを特徴とする磁気ディスク媒体。
【発明の詳細な説明】
【技術分野】
【０００１】
本発明はサーボ情報記録再生方式及び磁気ディスク媒体に関するものであり、特に、２層垂直磁気記録媒体にサーボ情報を書き込むとともに、書き込んだ情報を従来のヘッド構成で且つ高精度で位置決めするための構成に特徴のあるサーボ情報記録再生方式及び磁気ディスク媒体に関するものである。
【背景技術】
【０００２】
磁気ディスク装置、磁気テープ装置などの磁気記録装置では、記録媒体上のデータは薄膜磁気ヘッドによって読み書きが行われるが、読み出しは薄膜磁気ヘッドを構成する巨大磁気抵抗効果（ＧＭＲ）素子等を用いた再生ヘッドにより行われ、書き込みは誘導型記録ヘッドにより行われる。
【０００３】
この場合の記録方式は、現在すでに実用化されている磁化信号の向きが記録媒体面内方向とする長手磁気記録方式と、磁化信号の向きが記録媒体面に垂直な方向とする垂直磁気記録方式があり、一般に、後者の垂直磁気記録方式は前者の長手磁気記録方式に比べて記録媒体の熱揺らぎの影響を受けにくく、高い線記録密度を実現することが可能であるといわれている。
【０００４】
このような磁気記録媒体にデータを書き込むとともに、書き込んだデータを読み出すために、データを書き込む位置にライトヘッドを精度良く位置決めするとともにデータを書き込んだ位置にリードヘッドを精度良く位置決めする必要がある。
【０００５】
従来のヘッドの位置決め方式としては、セクターサーボ情報を凸部に記録しておく方法、或いは、溝部に反射率や位相変化を利用した情報を記録しておいて光によってサーボ情報を読み出す方法などがあった。
【０００６】
このうち、前者の方式においては、表面に凹凸を形成したり或いはパターンを予め埋め込むなどしてトラックを判別しているが、表面の凹凸はヘッドクラッシュを引き起こす危険性があるとともに、形成した凸部や埋め込んだパターンの判別が難しいという問題がある。
【０００７】
また、後者の方式は、ヘッドクラッシュの虞はないものの、媒体の溝部に反射率の異なる膜や位相変化をもたらすパターンを形成しなければならず、媒体作製が複雑になるという問題がある。
【０００８】
一方、近年、各データトラックをガードバンドで分離するとともに、各データトラックを互いに位相のずれたパターンで微小分割し、この微小パターンのずれに対応する検出信号における欠落部のパターンによりオントラックかオフトラックかを判別することが提案されている（例えば、特許文献１参照）。
【０００９】
また、溝部にサーボ情報を記録するとともに、記録したサーボ情報を専用のトラッキングヘッドにより読みだすことも提案されている（例えば、特許文献２参照）。
【００１０】
さらには、溝部にトラック部と異なる磁性層を設け、この磁性層にサーボ情報を記録するということも提案されており（例えば、特許文献３参照）、これらの提案のいずれにおいてもヘッドクラッシュの虞はなく、且つ、光によるサーボ情報の読出を必要としないものである。
【特許文献１】特開２００３−２６３８５０号公報
【特許文献１】特開２００２−２７９６１６号公報
【特許文献１】特開平０３−１４２７０７号公報
【発明の開示】
【発明が解決しようとする課題】
【００１１】
しかし、上記の特許文献１の提案の場合には、トラック構造が複雑になるために媒体の製造工程が複雑化したり、或いは、検出信号における欠落部が微小であるため、ノイズによる誤認識を避けるためにはトラック検出を高精度に行う必要がある。
【００１２】
また、上記の特許文献２の提案の場合には、トラック構造が複雑になるための媒体の製造工程が複雑化したり、或いは、複雑なヘッド構成を必要とするという問題がある。
【００１３】
さらに、上記の特許文献３の提案の場合には、トラック構造を含めた媒体構成が複雑になるため、媒体の製造工程が複雑化するという問題がある。
【００１４】
したがって、本発明は、媒体構造やヘッド構成を複雑化することなく、サーボ情報記録を再生して、高精度にヘッドの位置決めを行うことを目的とする。
【課題を解決するための手段】
【００１５】
図１は本発明の原理的構成図であり、ここで図１を参照して、本発明における課題を解決するための手段を説明する。
なお、図における符号１，２，３，４は、それぞれ裏打層、非磁性層、非磁性中間層、及び、磁気記録層である。
図１参照
上記課題を解決するために、本発明は、サーボ情報記録再生方式において、データトラック領域５がガードバンド６で分離された磁気ディスク媒体を一方向に初期化したのちサーボ用情報を記録し、磁気ディスク媒体からの検出信号出力におけるサーボ用情報磁界強度に対応する出力からトラックセンタ７を認識することを特徴とする。
【００１６】
このように、データ情報を書き込むことのできないガードバンド６を利用することにより、特別のサーボパターンを必要とすることなく、且つ、ヘッド構成を複雑化することなく、さらに、特別のトラック検出精度を要することなく、高精度でトラックセンタ７位置を決定することができる。
【００１７】
この場合、検出信号出力において、サーボ用情報磁界強度に対応する最大値或いは最小値のいずれも得られない場合に、１／２トラック以下のトラック幅をずらして、サーボ用情報の再記録及び信号検出を行い、サーボ用情報磁界強度に対応する最大値或いは最小値のいずれかが得られるまで繰り返せば良い。
【００１８】
また、サーボ用情報を記録するサーボ領域は、セルフクロックを用いて位置決めすることが望ましい。
この場合の「セルフクロック」とは、外部クロックからのクロック信号であっても良いし、磁気ディスク媒体内のデータトラック領域５に設けた構造的パターン、例えば、データトラック領域５の一部を分割して形成したサーボパターン或いはデータトラック領域５の一部を欠如させ、欠如領域にデータトラック周期と位相のずれた周期のマークセクタとしても良いものである。
【００１９】
なお、本発明のサーボパターン或いはマークセクタは、ガードバンド６と同じ構成を利用しているので、従来のようにサーボパターン或いはマークセクタを形成するための特別の構造及び製造工程を必要としない。
【００２０】
なお、外部クロック或いはサーボパターンを用いた場合には、検出信号出力におけるサーボ用情報磁界強度に対応する最大値でトラックセンタ７を決定し、マークセクタを用いた場合には検出信号出力におけるサーボ用情報磁界強度に対応する最小値でトラックセンタ７を決定することになる。
【００２１】
また、サーボ用情報を均一な直流磁界を印加することにより書き込んでも良く、この場合には、ヘッドによってサーボ用情報を書き込む必要がないので工程が極めて簡単になるとともに、トラックセンタ７の位置決定はヘッドを磁気ディスク媒体の半径方向に移動させるだけ簡単に決定することができる。
【００２２】
或いは、サーボ用情報の記録を、クロック用磁気パターンを形成したマスターから磁気転写することによって記録しても良く、この場合もヘッドによってサーボ用情報を書き込む必要がないので工程が極めて簡単になる。
【００２３】
また、サーボ用情報の記録は、サーボ用信号により行っても良く、この場合、従来はサーボ用情報は、データ情報と同じ周波数で書き込んでいたが、本発明においては、特別のサーボパターンを用いていないので、データ情報と区別するために、データ記録用周波数と異なる周波数でデータトラック領域５に記録することが望ましく、それによって、トラッキングが容易になる。
【００２４】
或いは、サーボ用情報の記録は、交流消去により行っても良く、この場合もヘッドによってサーボ用情報を書き込む必要がないので工程が極めて簡単になる。
なお、交流消去によって完全に磁化方向がランダムになって情報が消去されることがない。
【００２５】
また、サーボ用情報を書き込む場合には、磁気ディスク媒体を構成する磁気記録層の保磁力の２倍以下の強度の磁界を用いて記録することが望ましく、２倍を超えるとガードバンド６にも書き込みが行われる虞がある。
【００２６】
また、このような構成を構造的に実現するためには、データトラック領域５がガードバンド６で分離された磁気ディスク媒体内のデータトラック領域５の一部を分割してサーボパターンとすれば良い。
【００２７】
或いは、データトラック領域５がガードバンド６で分離された磁気ディスク媒体内のデータトラック領域５の一部を欠如させた欠如領域に設けたデータトラック周期と位相のずれた周期のマークセクタをサーボパターンとしても良い。
【発明の効果】
【００２８】
本発明によれば、データトラック領域がガードバンドで分離された構造自体を利用しているので、特別の構成のサーボパターンやトラキッングヘッド等を必要とすることなく、高精度のヘッド位置決めを行うことができる。
【発明を実施するための最良の形態】
【００２９】
本発明は、特別の構成のサーボパターン等を用いることなく、データトラック領域がガードバンドで分離された磁気ディスク媒体を一方向に初期化したのちサーボ用情報を記録し、磁気ディスク媒体からの検出信号出力におけるサーボ用情報磁界強度に対応する最大値或いは最小値のいずれかの値を出力する領域をトラックセンタし、検出信号出力において、サーボ用情報磁界強度に対応する最大値或いは最小値のいずれも得られない場合に、１／２トラック以下のトラック幅をずらして、サーボ用情報の再記録及び信号検出を行い、サーボ用情報磁界強度に対応する最大値或いは最小値のいずれかが得られるまで繰り返してトラックセンタを決定するものである。
【実施例１】
【００３０】
ここで、図２及び図５を参照して、本発明の実施例１のサーボ情報記録再生方式を説明するが、まず、図２を参照して本発明の前提となる磁気ディスク媒体構造を説明する。
図２参照  
図２は本発明の前提となる磁気ディスク媒体１０の構成説明図であり、例えば、直径が２．５インチ（≒６ｃｍ）のガラス基板１１上にＤＣマグネトロンスパッタ装置を用いて、厚さが５〜１０ｎｍのＴａからなる下地層１２、厚さが、例えば、２００ｎｍのＣｏＺｒＮｂからなる裏打層１３を形成する。
【００３１】
次いで、同心円環状のレジストパターンを利用して、裏打層１３をイオンミリングして同心円環状の溝を形成したのち、リフトオフ法を用いて同心円環状の溝をＡｌ2 Ｏ3 等の非磁性層１４で埋め込む。
【００３２】
次いで、レジストパターンを除去したのち、Ｒｕ等の非磁性中間層１５、ＣｏＣｒＰｔ等の垂直方向に容易軸をもつ硬強磁性体からなる磁気記録層１６を順次堆積させ、次いで、ＤＬＣ（ダイヤモンド・ライク・カーボン）等からなる保護膜を堆積させたのち、保護膜上にパーフルオロカーボンからなる潤滑材（いずれも図示を省略）を設けたものである。
【００３３】
この磁気ディスク媒体１０に対して単磁極ヘッド１７を用いてデータを書き込む場合、非磁性層１４で埋め込んだ領域の中間領域においては、単磁極ヘッド１７と裏打層１３の距離が短くなるとともに、裏打層１３の凸部に磁束２０が集まるので、この領域がデータトラック１９となる。
【００３４】
一方、非磁性層１４で埋め込んだ領域においては、単磁極ヘッド１７と裏打層１３の距離が長いため、単磁極ヘッド１７からの磁束が磁気記録層１６を通り裏打層１３に通りにくくなり、結果として磁気記録層１６には書き込みに十分な磁界が印加されず、非磁性層１４の直上の領域にはデータが書き込まれない。
【００３５】
また、非磁性層１４上のＲｕ層は裏打層１３上のＲｕ層とは結晶構造が異なり、その上に配向する磁気記録層１６は裏打層１３の直上では垂直磁化となり、非磁性層１４の直上では面内磁化となる。
【００３６】
そのため、データを書き込むためには大きな強度の書込磁界が必要になるため、書込磁界を磁気記録層１６の構成する磁性材料の保磁力Ｈc の２倍以下にした場合には、非磁性層１４の直上の領域はデータが書き込まれないガードバンド２０となる。
【００３７】
図３参照  
図３は、外部クロックを用いてデータトラックにサーボ情報を記録した場合の状況の説明図であり、この場合には、データ情報と区別するために、データ情報用周波数と異なった周波数によってサーボ情報２１を書き込む。
【００３８】
図４及び図５参照  
図４は、本発明の実施例１におけるサーボ情報記録動作のフローチャートであり、また、図５は、サーボ情報２１を記録した場合の信号出力とノイズの説明図である。
まず、磁気ディスク媒体１０をＤＣ磁界を用いて一方向に磁化して媒体初期化を行い、次いで、初期化した磁気ディスク媒体１０の読み取りを行ってＤＣ消去信号のレベルを取得し、その値を記憶する。
【００３９】
次いで、外部のパルス発振器等からのセルフクロック信号を用いて記録タイミングを決めて、単磁極ヘッドを用いてデータ情報用周波数と異なった周波数によってサーボ情報２１を記録（テストライト）する。
この時、トラックにのみサーボ情報が記録される。
【００４０】
次いで、単磁極ヘッドと一体に構成された再生ヘッドを用いてサーボ信号を検出する。  この時、記録されたサーボ情報２１の中心とトラックセンタ２２とがほぼ一致している場合、図５の中段に示すように、サーボ情報信号がトラックセンタ２２を中心とした対称波形となり、且つ、サーボ記録周波数の周期で最大出力が得られる。
また、ＤＣ消去出力レベルはトラックセンタ２２において、以前の過程で取得したＤＣ消去信号のレベルの値となる。
【００４１】
一方、記録されたサーボ情報２１の中心とトラックセンタ２２からはずれている場合、図５の下段に示すように、サーボ情報信号が非対称波形となり、且つ、その極大値がトラックセンタ２２と一致している場合に得られる信号の最大値より小さくなる。
また、ＤＣ消去出力レベルも非対称波形となり、その極小値はＤＣ消去信号のレベルの値より大きくなる。
【００４２】
したがって、サーボ情報信号が対称波形となり、且つ、サーボ記録周波数の周期で最大出力が得られた場合には、サーボ情報信号がトラックセンタ２２を中心に書き込まれていれていると判定して、トラック位置を決定し、改めて、このトラック位置にサーボ情報２１を記録する。
【００４３】
一方、サーボ情報信号が非対称波形となり、且つ、サーボ記録周波数の周期で最大出力が得られない場合には、サーボ情報信号がトラックセンタ２２を中心に書き込まれていないと判定して、単磁極ヘッドをトラック方向へ１／２トラック幅以下移動して再び媒体初期化を行って、上記の工程をトラック位置が決定するまで繰り返して行う。
【００４４】
このように、本発明の実施例１においては、特別のサーボパターンを用いることなく、且つ、特別な構造の磁気ヘッドを要することなく、ガードバンド２０の存在を利用してサーボ情報を書き込んでいるので、特別のサーボパターンや特別な構造の磁気ヘッドが不要になり、媒体の構造や製造工程が簡素化されるとともに、磁気ディスク装置の構成を簡素化することができる。
【実施例２】
【００４５】
次に、図６を参照して、本発明の実施例２のサーボ情報記録再生方式を説明するが、テストライトを交流（ＡＣ）消去によって行うだけで、あとは、上記の実施例１と全く同様にであるので、フロチャートのみを示す。
図６参照  
図６は、本発明の実施例２におけるサーボ情報記録動作のフローチャートであり、テストライトを単磁極ヘッドを用いずにＡＣ消去によって行うものである。
この場合、媒体初期化における記録磁界が高い（実際には記録磁界勾配が低くなるので実効的な記録磁界が低くなるため）ガードバンド２０においては磁化が消去されないが、記録磁界の低い（実際には記録磁界勾配が高くなるので実効的な記録磁界が高くなるため）データトラック１９においては磁化が消去されるために、ＡＣ消去周波数の信号の有無がトラックセンタ２２を認識する磁気情報となる。
【実施例３】
【００４６】
次に、図７を参照して、本発明の実施例３のサーボ情報記録再生方式を説明するが、基本的なフローや媒体構成は上記の実施例１と同様であるので、相違箇所のみを説明する。  図７参照  
図７は、セルフクロック信号となるセルフクロックパターンを示す平面図であり、データトラック１９の一部を分割領域２３，２４で分割して、サーボ情報記録領域２５を設けたものである。
【００４７】
この場合の分割領域２３，２４は、同心円環状の溝を形成する際に同時に形成し、非磁性層と同時にＡｌ2 Ｏ3 等で埋め込むものであり、したがって、サーボパターンを形成するための特別の製造工程や材料は不要になり、また、分割領域２３，２４はガードバンド２０と同様に非記録領域となる。
【００４８】
したがって、この様な構成の磁気ディスク媒体にサーボ情報を書き込む際に、分割領域２３，２４をセルフクロック信号として用いて、サーボ情報記録領域２５にテストライトを行って実施例１と同様の信号検出を行ってトラックセンタ２２を決定する。
【００４９】
この実施例３においては、分割領域２３，２４及びサーボ情報記録領域２５からなるセルフクロックパターンから得られる検出信号をセルフクロック信号として利用しているので、外部クロックを用意する必要がなくなり、また、サーボ情報書込周波数を考慮する必要がなくなる。
【実施例４】
【００５０】
次に、図８を参照して、本発明の実施例４のサーボ情報記録再生方式を説明するが、基本的なフローや媒体構成は上記の実施例１と同様であるので、相違箇所のみを説明する。  図８参照  
図８は、セルフクロック信号となるセルフクロックパターンを示す平面図であり、データトラック１９の一部を分割領域２３，２４で分割して、データトラック１９の周期と位相のずれた周期のマークセクタ２６を設けたものである。
【００５１】
この場合の分割領域２３，２４及びマークセクタ２６の非記録領域は、同心円環状の溝を形成する際に同時に形成し、非磁性層と同時にＡｌ2 Ｏ3 等で埋め込むものであり、サーボパターンを形成するための特別の製造工程や材料は不要になる。
【００５２】
この様な構成の磁気ディスク媒体にサーボ情報を書き込む際に、分割領域２３，２４をセルフクロック信号として用いて、マークセクタ２６にテストライトを行って実施例１と同様の信号検出を行ってトラックセンタ２２を決定する。
【００５３】
この場合、検出波形が対称波形であり、且つ、その最小値がＤＣ消去信号のレベルと同じ最低値を示した場合にトラックセンタ２２であると判定する。
【００５４】
この実施例４においても、分割領域２３，２４及びマークセクタ２６からなるセルフクロックパターンから得られる検出信号をセルフクロック信号として利用しているので、外部クロックを用意する必要がなくなり、また、サーボ情報書込周波数を考慮する必要がなくなる。
【実施例５】
【００５５】
次に、図９を参照して、本発明の実施例５のサーボ情報記録再生方式を説明するが、基本的な媒体構成は上記の実施例１と同様であるが、テストライトの代わりにＤＣ消去を用いるとともにトラックセンタ検出工程が異なるものである。
図９参照  
図９は、ＤＣ消去の状況の説明図であり、上図は実施例１と同様の媒体初期化における磁化の状態を示す図であり、データトラック１９において印加したＤＣ磁界を同じ向きに磁化される。
なお、ガードバンド２０においては、面内磁化を保ったままとなり、この磁化方向はランダムである。
【００５６】
下図が、ＤＣ消去後の磁化の状態を示す図であり、データトラック１９においては印加された初期化磁界とは逆方向の消去磁界の方向に磁化されるが、ガードバンド２０においては磁化方向は面内磁化のままである。
【００５７】
この場合、再生ヘッドを半径方向、即ち、データトラック１９を横切る方向に操作すると、信号強度の差としてデータトラック１９の位置を認識してトラックセンタ２２を決定したのち、データトラック１９に上記の実施例１と同様にサーボ情報の書込を行う。
【００５８】
この実施例５においては、テストライトの代わりＤＣ消去を用い、且つ、トラックセンタの検出は再生ヘッドを半径方向に移動させるだけであるので、トラックセンタ２２の検出工程が簡素化される。
【実施例６】
【００５９】
次に、図１０を参照して、本発明の実施例６のサーボ情報記録再生方式を説明するが、基本的な媒体構成は上記の実施例１と同様であるが、試行錯誤を伴うサーボパターンの書込工程を必要としないものである。
図１０参照  
図１０は、サーボパターンの記録再生工程の説明図であり、まず、上記の実施例１と同様に媒体初期化を行ったのち、半径方向の延在するとともに円周方向に所定間隔で配置させた強磁性体パターン３２を設けたマスタ３１を磁気ディスク媒体１０に近接させ、永久磁石等を用いて書込磁界３３を印加して、強磁性体パターン３２直下のデータトラック１９の領域のみにサーボパターン３４を記録する。
【００６０】
このサーボパターン３４を再生ヘッドで読み取ることによってサーボ制御を行う。
なお、トラックセンタ２２の決定は、上記実施例１と同様に、記録したサーボパターン３４の最大値或いは最小値が得られる位置をトラックセンタ２２とする。
【００６１】
この実施例６においては、磁気転写を利用しているので、試行錯誤を伴うサーボパターンの書込工程を必要とせず、サーボ情報の書込工程が簡素化される。
【００６２】
なお、上記の各実施例の説明に用いた磁気ディスク媒体の構造及び製造工程は単なる一例であり、ガードバンドを備えた磁気ディスク装置に関する公知の各種の構造或いは製造工程と置き換えても良いことは言うまでもない。
【００６３】
例えば、上記の各実施例の説明においては、裏打層に溝を形成したのち非磁性層で溝を埋め込んでいるが、ベタ状の裏打層上に周期的な分離された裏打層パターンを設け、この裏打層パターンの間を非磁性層で埋め込んでも良く、或いは、ベタ状の裏打層上に周期的な分離された非磁性層パターンを設け、この非磁性層パターンの間を裏打層と同じ或いは異なった磁性体で埋め込んでも良いものである。
【００６４】
ここで再び図１を参照して、本発明の詳細な特徴を改めて説明する。
再び、図１参照  
（付記１）  データトラック領域５がガードバンド６で分離された磁気ディスク媒体を一方向に初期化したのちサーボ用情報を記録し、前記磁気ディスク媒体からの検出信号出力におけるサーボ用情報磁界強度に対応する出力からトラックセンタ７を認識することを特徴とするサーボ情報記録再生方式。
（付記２）  上記トラックセンタ７を、前記磁気ディスク媒体からの検出信号出力におけるサーボ用情報磁界強度に対応する最大値或いは最小値のいずれかの値を出力する領域から認識することを特徴とする付記１記載のサーボ情報記録再生方式。
（付記３）  上記検出信号出力において、サーボ用情報磁界強度に対応する最大値或いは最小値のいずれも得られない場合に、１／２トラック以下のトラック幅をずらして、サーボ用情報の再記録及び信号検出を行い、サーボ用情報磁界強度に対応する最大値或いは最小値のいずれかが得られるまで繰り返すことを特徴とする付記２記載のサーボ情報記録再生方式。
（付記４）  上記サーボ用情報を記録するサーボ領域をセルフクロックを用いて位置決めすることを特徴とする付記１乃至３のいずれか１に記載のサーボ情報記録再生方式。
（付記５）  上記セルフクロックが、外部クロックからのクロック信号であることを特徴とする付記４記載のサーボ情報記録再生方式。
（付記６）  上記セルフクロックが、上記磁気ディスク媒体内のデータトラック領域５の一部を分割して形成したサーボパターンからなることを特徴とする付記４記載のサーボ情報記録再生方式。
（付記７）  上記セルフクロックが、上記磁気ディスク媒体内のデータトラック領域５の一部を欠如させ、欠如領域にデータトラック周期と位相のずれた周期のマークセクタからなることを特徴とする付記４記載のサーボ情報記録再生方式。
（付記８）  上記サーボ用情報の書き込みを、均一な直流磁界を印加することにより行うことを特徴とする付記１乃至３のいずれか１に記載のサーボ情報記録再生方式。
（付記９）  上記サーボ用情報の記録を、磁気パターンを形成したマスターから磁気転写することによって記録することを特徴とする付記１乃至３のいずれか１に記載のサーボ情報記録再生方式。
（付記１０）  上記サーボ用情報の記録を、サーボ用信号により行うことを特徴とする付記１乃至３のいずれか１に記載のサーボ情報記録再生方式。
（付記１１）  上記サーボ用情報を、データ記録用周波数と異なる周波数でデータトラック領域５に記録することを特徴とする付記１０記載のサーボ情報記録再生方式。
（付記１２）  上記サーボ用情報の記録を、交流消去により行うことを特徴とする付記１乃至３のいずれか１に記載のサーボ情報記録再生方式。
（付記１３）  上記サーボ用情報を、上記磁気ディスク媒体を構成する磁気記録層４の保磁力の２倍以下の強度の磁界を用いて記録することを特徴とする付記１乃至１２のいずれか１に記載のサーボ情報記録再生方式。
（付記１４）  上記磁気ディスク媒体が、ベタ状部分と、前記ベタ状部分上に設けられた横方向において分離された分離部とからなる裏打層１を有するとともに、前記分離部の間を非磁性層２で埋め込まれていることを特徴とする付記１乃至１３のいずれか１に記載のサーボ情報記録再生方式。
（付記１５）  データトラック領域５がガードバンド６で分離された磁気ディスク媒体において、前記磁気ディスク媒体内のデータトラック領域５の一部を分割してサーボパターンとしたことを特徴とする磁気ディスク媒体。
（付記１６）  上記磁気ディスク媒体が、ベタ状部分と、前記ベタ状部分上に設けられた横方向において分離された分離部とからなる裏打層１を有するとともに、前記分離部の間を非磁性層２で埋め込まれていることを特徴とする付記１５記載の磁気ディスク媒体。  （付記１７）  データトラック領域５がガードバンド６で分離された磁気ディスク媒体において、前記磁気ディスク媒体内のデータトラック領域５の一部を欠如させた欠如領域に設けたデータトラック周期と位相のずれた周期のマークセクタをサーボパターンとしたことを特徴とする磁気ディスク媒体。
【産業上の利用可能性】
【００６５】
本発明の活用例としては、磁気ディスク装置用の垂直磁気記録媒体が典型的なものであるが、ディスク状の媒体に限られるものではなく、テープ状の磁気記録媒体にも適用されるものである。
【図面の簡単な説明】
【００６６】
【図１】本発明の原理的構成の説明図である。
【図２】本発明の前提となる磁気ディスク媒体の構成説明図である。
【図３】外部クロックを用いてデータトラックにサーボ情報を記録した場合の状況の説明図である。
【図４】本発明の実施例１におけるサーボ情報記録動作のフローチャートである。
【図５】サーボ情報を記録した場合の信号出力とノイズの説明図である。
【図６】本発明の実施例２におけるサーボ情報記録動作のフローチャートである。
【図７】本発明の実施例３におけるセルフクロック信号となるセルフクロックパターンを示す平面図である。
【図８】本発明の実施例４におけるセルフクロック信号となるセルフクロックパターンを示す平面図である。
【図９】本発明の実施例５におけるＤＣ消去の状況の説明図である。
【図１０】本発明の実施例６におけるサーボパターンの記録再生工程の説明図である。
【符号の説明】
【００６７】
１  裏打層
２  非磁性層
３  非磁性中間層
４  磁気記録層
５  データトラック領域
６  ガードバンド
７  トラックセンタ
１０  磁気ディスク媒体
１１  ガラス基板
１２  下地層
１３  裏打層
１４  非磁性層
１５  非磁性中間層
１６  磁気記録層
１７  単磁極ヘッド
１８  磁束
１９  データトラック
２０  ガードバンド
２１  サーボ情報
２２  トラックセンタ
２３  分割領域
２４  分割領域
２５  サーボ情報記録領域
２６  マークセクタ
３１  マスタ
３２  強磁性体パターン
３３  書込磁界
３４  サーボパターン
【図１】
2006252604.tif 000003
【図２】
2006252604.tif 000004
【図３】
2006252604.tif 000005
【図４】
2006252604.tif 000006
【図５】
2006252604.tif 000007
【図６】
2006252604.tif 000008
【図７】
2006252604.tif 000009
【図８】
2006252604.tif 000010
【図９】
2006252604.tif 000011
【図１０】
2006252604.tif 000012